(57)【要約】【課題】受信器において、受信状態の悪化要因を特定することが困難であるという課題がある。【解決手段】受信器１０は、放送波を受信し少なくとも映像または音声の何れかを出力する受信器であって、放送波に含まれる所要の選局資源の放送信号を選択受信するとともに、放送信号を受信した際の受信状態を計測するチューナー・復調部３と、チューナー・復調部３によって計測された受信状態を記憶するか判断するデータ処理制御部２と、データ処理制御部２によって記憶すると判断された受信状態を、選局資源毎に記憶する記憶媒体７と、記憶媒体７に記憶された受信状態を通知する出力部５と、を備える。【選択図】図１
2013106336.tif 000002
【特許請求の範囲】
【請求項１】
放送波を受信し少なくとも映像または音声の何れかを出力する受信器であって、
前記放送波に含まれる所要の選局資源の放送信号を選択受信する受信部と、
前記受信部が前記放送信号を受信した際の受信状態を計測する受信状態計測部と、
前記受信状態計測部によって計測された前記受信状態を記憶するか判断する記憶対象判断部と、
前記記憶対象判断部によって記憶すると判断された前記受信状態を、選局資源毎に記憶する記憶部と、
前記記憶部に記憶された受信状態を通知する受信状態通知部と、
を備える受信器。
【請求項２】
ユーザーの操作により任意のタイミングで前記記憶部に記憶された受信状態を通知するユーザー操作検出部を、
さらに備える請求項１に記載の受信器。
【請求項３】
受信状態の変化を検出する受信状態変化検出部を、
さらに備える請求項１または２に記載の受信器。
【発明の詳細な説明】
【技術分野】
【０００１】
本発明は放送を受信し、受信状態を通知する受信器に関する。
【背景技術】
【０００２】
天候変化や受信器の不具合、選局資源毎の伝送特性の相違等、様々な要因により受信状態が悪化する。受信状態が悪化した場合、受信を良好に行うという受信器の主たる役割が阻害されているので、その要因を特定し受信状態を改善する必要がある。
【０００３】
ここで過去良好に受信出来ていたかを知る事は、受信状態の悪化が一時的もしくは恒常的なものなのかを知る事につながり、受信状態の悪化要因の特定に役立つ。
【０００４】
従来、過去の受信状態の良し悪しは、使用者の記憶を頼りにする方法や、記憶媒体に映像や音声またはデータコンテンツが記憶されている場合に、コンテンツ記憶当時の受信状態は良好だった判断する方法があった。
【０００５】
特許文献１において、受信状態を記憶領域に貯蓄していく事で、記憶された受信状態と現在の受信状態を比較し、天候の変化を検知し通知する事ができる技術が開示されている。
【先行技術文献】
【特許文献】
【０００６】
【特許文献１】特開２００３−３４８４８０号公報
【発明の概要】
【発明が解決しようとする課題】
【０００７】
受信状態の悪化要因を特定する事を目的と考えた場合、受信状態の悪化要因として選局資源毎の伝送特性も可能性として考えられるため、選局資源毎に過去の受信状況が良好であったかを判断する必要がある。
【０００８】
しかしながら、従来の方法では、過去ユーザーが受信器を使用開始してから今現在に至るまで、良好な受信状態で受信出来ていた事があるか、について十分に判断できなかった。
【０００９】
また、特許文献１では、受信器全体として、受信状態を取り扱っているため、選局資源毎に異なる受信状態は判断できない、という課題があった。
【００１０】
本発明は、受信状態の悪化要因を特定するため、選局資源毎に過去の受信状態を判断できる事を目的とする。
【課題を解決するための手段】
【００１１】
この課題を解決するため、本発明の受信器は、放送波を受信し少なくとも映像または音声の何れかを出力する受信器であって、前記放送波に含まれる所要の選局資源の放送信号を選択受信する受信部と、前記受信部が前記放送信号を受信した際の受信状態を計測する受信状態計測部と、前記受信状態計測部によって計測された前記受信状態を記憶するか判断する記憶対象判断部と、前記記憶対象判断部によって記憶すると判断された前記受信状態を、選局資源毎に記憶する記憶部と、前記記憶部に記憶された受信状態を通知する受信状態通知部と、を備える。
【発明の効果】
【００１２】
本発明の受信器によれば、選局資源毎に過去の受信状態を記憶し通知することで、過去の受信状態が良好であったかどうかを判断できるようになり、受信状態の悪化要因を特定することができる。
【図面の簡単な説明】
【００１３】
【図１】実施の形態における受信器の構成を示すブロック図
【図２】実施の形態１における受信器の動作を示すフローチャート
【図３】実施の形態２における受信器の動作を示すフローチャート
【図４】実施の形態における受信器上での通知方法の一例を示す図
【発明を実施するための形態】
【００１４】
（実施の形態１）
以下、実施の形態１について図面を用いて説明する。
（１−１．受信器の構成）
図１は、受信器１０の構成を示すブロック図である。受信器１０は、ユーザーインタフェース制御部１と、データ処理制御部２と、チューナー・復調部３と、映像・音声再生部４と、出力部５と、記憶媒体制御部６と、記憶媒体７とを含む。
【００１５】
ユーザーインタフェース制御部１は、リモコンによる操作、受信器１０本体に取り付けられているボタンやタッチパネル等への操作、または受信器１０に外部接続されている機器へのユーザーの操作を検知し、制御する。ここではチャンネル切り替えがリモコンのボタン操作によって行われたとする。
【００１６】
データ処理制御部２は、受信器１０のデータ制御を全般に行う処理部である。ユーザーインタフェース制御部１によりチャンネル切り替え操作が検出された場合、チャンネル切替要求としてデータ処理制御部２に伝えられる。
【００１７】
チューナー・復調部３は、放送波を受信し、放送波中の選局資源を選択し、復調するとともに、その受信状態を計測する。前記チャンネル切り替え要求はデータ処理制御部２によりチューナー・復調部３へ伝えられる。チューナー・復調部３は前記チャンネル切り替え要求を受け付けると、選局資源から要求されたチャンネルの選局資源を選択し受信する。受信された選局資源は復調される。また、チューナー・復調部３は、受信している選局資源の受信状態を定期的に計測し、結果をデータ処理制御部２へと伝える。
【００１８】
チューナー・復調部３によって受信された選局資源は映像・音声再生部４へと伝えられる。映像・音声再生部４はモニターやスピーカーに出力される映像や音声の視聴情報を作成する。
【００１９】
映像・音声再生部４から出力された視聴情報は出力部５へと伝えられる。出力部５とは、具体的には受信器１０に取り付けられた、もしくは受信器１０に内蔵された出力装置で、モニターやスピーカー、ＬＥＤを指す。視聴情報は主にモニターやスピーカーによって音声や映像としてユーザーに提供される。
【００２０】
記憶媒体制御部６は、記憶媒体７へのデータの書き込み、記憶媒体７へ記憶されたデータの読み出しを制御する。
【００２１】
記憶媒体７は、不揮発性メモリ、ハードディスク等で構成され、受信器１０の電源状態に関わらず、データを保持する。
（１−２．受信器の動作）
受信状態の記憶制御の説明を図２のフローチャートを用いて行う。
【００２２】
上記に示したようにチューナー・復調部３によって計測された受信状態はデータ処理制御部２に送られる（Ｓ２０１）。チューナー・復調部３によって送られてきた受信状態を以降「現時の受信状態」と表す。
【００２３】
ユーザーが、受信状態を表示する受信状態の通知操作を行っていない場合（Ｓ２０１でＮＯ）、データ処理制御部は、受信状態の比較を行う。データ処理制御部２は現時の受信状態を伝えられると、受信状態の比較を行うため、今現在受信している選局資源の受信状態を対象とし記憶媒体制御部６に読み出し要求を行う。
【００２４】
ここで受信状態について補足する。受信状態が良好であるかどうか、すなわち、受信感度が高いかどうかについては、搬送波電力と雑音電力との比であるＣ／Ｎ（Ｃａｒｒｉｅｒ  ｔｏ  Ｎｏｉｓｅ  Ｒａｔｉｏ）や、ＢＥＲ（Ｂｉｔ  Ｅｒｒｏｒ  ｒａｔｅ）、ＰＥＲ（Ｐａｃｋｅｔ  Ｅｒｒｏｒ  Ｒａｔｅ）、ＲＳＳＩ（Ｒｅｃｅｉｖｅｄ  Ｓｉｇｎａｌ  Ｓｔｒｅｎｇｔｈ  Ｉｎｄｉｃａｔｏｒ）、等が算出され、受信状態の判定に利用されている。チューナー・復調部３は、Ｃ／Ｎ、ＢＥＲ、ＲＳＳＩのいずれか一つのパラメータを算出して、受信状態としても良いし、複数のパラメータを組み合わせて、受信状態としても良い。
【００２５】
記憶媒体制御部６はデータ処理制御部２から受信状態の読み出し要求を受け付けると、記憶媒体７より要求された選局資源の受信状態を読み出し、データ処理制御部２へと伝える。
【００２６】
データ処理制御部２は記憶媒体制御部６から伝送された受信状態と、現時の受信状態を比較する（Ｓ２０３）。記憶媒体制御部６から伝送された受信状態を以降「過去の受信状態」と表記する。データ処理制御部２は、現時の受信状態と過去の受信状態を比較し、より受信状態が良好である事を示す受信状態を判断する（Ｓ２０４）。結果、現時の受信状態の方が良好であると判断された場合（Ｓ２０４でＹＥＳ）、データ処理制御部２は記憶媒体制御部６に現時の受信状態の書き込みを要求する。
【００２７】
記憶媒体制御部６はデータ処理制御部２からの書き込み要求を受け付けると、記憶媒体７に記憶されている過去の受信状態を消去し、現時の受信状態を新たに記憶する（Ｓ２０５）。この「記憶」とは電源ＯＦＦ等で消去される一時的な記憶ではなく、半永久的な記憶を指す。この結果、記憶媒体７に記憶されている選局資源毎の受信状態は過去から現時における期間において、最も受信状態が良好であった時の受信状態が記憶されることとなる。このようにして受信状態は記憶される。
【００２８】
このように、選局資源毎に最も受信状態が良好であった時の受信状態を記憶することで、選局資源毎に、過去の受信状態が良好であったかどうかを判断できるようになる。選局資源毎に、例えば異なるアンテナを用いて受信している場合、選局資源毎に受信状態が異なり、選局資源毎の受信状態の悪化を把握することで、問題のあるアンテナの特定等の悪化要因の特定ができる。
【００２９】
次に受信状態通知について説明する。
【００３０】
ユーザーが、受信状態を表示する受信状態の通知操作を行う（Ｓ２０２でＹＥＳ）と、受信状態の通知操作はユーザーインタフェース制御部１によって検出される。
【００３１】
ユーザーインタフェース制御部１は受信状態通知要求をデータ処理制御部２に伝える。データ処理制御部２は受信状態通知要求を受け付けると、記憶媒体制御部６に受信状態の読み出し要求を行う。
【００３２】
記憶媒体制御部６は読み出し要求を受け付けると、記憶媒体７から現在選局中の選局資源に対する受信状態を読み取りデータ処理制御部２へと伝える（Ｓ２０６）。
【００３３】
データ処理制御部２は記憶媒体制御部６により伝えられた受信状態を、通知に適した形式へと変換する。この通知に適した形式をここでは通知情報と表す。通知情報とは、例えば、視覚情報として通知される場合においては、文言、数値、色、形、点滅の周期、点滅のパターン等であり、聴覚情報として通知される場合においては、音声、音等である。また、データ処理制御部２は、この時必要に応じて現時の受信状態についても後述する映像・音声再生部４へと伝えて通知するため、通知情報にする。
【００３４】
データ処理制御部２から通知情報が映像・音声再生部４へと伝えられる。映像・音声再生部４は通知情報を出力部５へと伝える事で、ユーザーは視覚や聴覚を通して通知を受け取る事ができる（Ｓ２０７）。またこの際、映像・音声再生部４は視聴情報を出力部５へと送出している場合があり、その場合は視聴情報と通知情報とを重畳させたり、通知情報を出力する間、視聴情報の出力を一時的に停止する等の制御を行って通知する。
【００３５】
図４はモニターを出力部５とした際に、モニター上に表示するイメージを表す図である。現在選局中の選局資源について、現時の受信状態が、過去、その選局資源において最も良好であった受信状態との比較で表示される。ユーザは、選局した選局資源が視聴できない場合、受信状態を表示する受信状態の通知操作を行うことで、図４に示す受信状態がモニター上に表示される。過去、その選局資源において最も良好であった受信状態自体も低い場合は、そもそも以前からその選局資源は視聴できておらず、初期不良等の原因が想定される。一方、過去の受信状態が良好であったにも関わらず、現時の受信状態が悪い場合は、一時的な天候不良や、複数のアンテナに内、選局中の選局資源に対応するアンテナに、アンテナ向きのずれ等の不具合の発生等が想定される。
（１−３．本発明の構成との対応関係）
チューナー・復調部３は、本発明の受信部および受信状態計測部の一例である。データ処理制御部２は、本発明の記憶対象判断部の一例である。記憶媒体７は、本発明の記憶部の一例である。出力部５は、本発明の受信状態通知部の一例である。ユーザーインタフェース制御部１は、本発明のユーザー操作検出部の一例である。
（実施の形態２）
実施の形態１では、ユーザが受信状態の通知操作を行うことで受信状態が表示されるのに対して、実施の形態２では、受信器側で受信状態の劣化を検出して、自動的に受信状態を表示する点が異なる。
【００３６】
実施の形態２において、受信器の構成は実施の形態１と同一であり、説明を省略する。
（２−１．受信器の動作）
実施の形態２における受信状態の通知制御を図３のフローチャートを用いて行う。
【００３７】
チューナー・復調部３は定期的に受信状態の計測を行い（Ｓ３０１）、結果をデータ処理制御部２へと伝えている。データ処理制御部２は現時の受信状態の変化を検出する。その結果、受信状態の悪化を検出した場合（Ｓ３０２でＹＥＳ）、通知を行うため記憶媒体制御部６に受信状態の読み出し要求を行う。
【００３８】
記憶媒体制御部６は読み出し要求を受け付けると、記憶媒体７から現在選局中の選局資源に対する受信状態を読み取りデータ処理制御部２へと伝える（Ｓ３０６）。
【００３９】
データ処理制御部２は記憶媒体制御部６により伝えられた受信状態を、通知に適した形式へと変換する。この通知に適した形式をここでは通知情報と表す。通知情報は実施の形態１と同様であり、説明を省略する。
【００４０】
データ処理制御部２から通知情報が映像・音声再生部４へと伝えられる。映像・音声再生部４は通知情報を出力部５へと伝える事で、ユーザーは視覚や聴覚を通して通知を受け取る事ができる。またこの際、映像・音声再生部４は視聴情報を出力部５へと送出している場合があり、その場合は視聴情報と通知情報とを重畳させたり、通知情報を出力する間視聴情報の出力を一時的に停止する等の制御を行って通知する。
【００４１】
モニターを出力部５とした際に、モニター上に表示するイメージは、実施の形態１の図４と同様であり、説明を省略する。
（２−２．本発明の構成との対応関係）
データ処理制御部２は、本発明の受信状態変化検出部の一例である。
【産業上の利用可能性】
【００４２】
本実施の形態にかかる受信器は、受信状態の悪化要因を特定することができ、テレビや、ケーブルＴＶのセットトップボックスに適用することができ、有用である。
【符号の説明】
【００４３】
１  ユーザーインタフェース制御部
２  データ処理制御部
３  チューナー・復調部
４  映像・音声再生部
５  出力部
６  記憶媒体制御部
７  記憶媒体
１０  受信器
【図１】
2013106336.tif 000003
【図２】
2013106336.tif 000004
【図３】
2013106336.tif 000005
【図４】
2013106336.tif 000006